(57)【要約】【課題】天井埋込型の形態及び天井吊下型の形態の両方に対応することが可能な天井設置型の空気調和装置を提供する。【解決手段】空気調和装置１は、ケーシング２と、送風ファン３と、熱交換器５とを備えている。ケーシング２は、下面に吸入開口２６ａ及び下面吹出開口２６ｂと側面に側面吹出開口２２ａ、２４ａとが形成されるとともに、吸入開口２６ａから下面及び側面吹出開口２６ｂ、２２ａ、２４ａに至る空気流路Ｓが形成されている。ケーシング２には、吸入開口２６ａ及び下面吹出開口２６ｂにそれぞれ連通する吸入口１１ａ及び下面吹出口１１ｂが形成された天井埋込用化粧パネル１１を、ケーシング２の下面を覆うように装着するか、又は、吸入開口２６ａ及び側面吹出開口２２ａ、２４ａにそれぞれ連通する吸入口６１ａ及び側面吹出口６２ａ、６４ａが形成された天井吊下用化粧パネル１５を、ケーシング２の下面及び側面を覆うように装着することが可能である。【選択図】図１
2007147143.tif 000002
【特許請求の範囲】
【請求項１】
空調室の天井に設置可能な空気調和装置であって、
下面に吸入開口（２６ａ、１２６ａ）及び第１吹出開口（２６ｂ、１２６ｂ）と側面に第２吹出開口（２２ａ、２４ａ、１２２ａ〜１２５ａ）とが形成されるとともに、前記吸入開口から前記第１及び第２吹出開口に至る空気流路（Ｓ）が形成されるケーシング（２、１０２）と、
前記空気流路内に配置される送風ファン（３、１０３）と、
前記空気流路内に配置される熱交換器（５、１０５）とを備え、
前記ケーシングには、前記吸入開口及び前記第１吹出開口にそれぞれ連通する吸入口（１１ａ、１３ａ、１１１ａ）及び第１吹出口（１１ｂ、１３ｂ、１１１ｂ）が形成された第１化粧パネル（１１、１３、１１１）を、前記ケーシングの下面を覆うように装着するか、又は、前記吸入開口及び前記第２吹出開口にそれぞれ連通する吸入口（６１ａ、７１ａ、１６１ａ）及び第２吹出口（６２ａ、６４ａ、７２ａ、７４ａ、１６２ａ〜１６５ａ）が形成された第２化粧パネル（１５、１７、１１５）を、前記ケーシングの下面及び側面を覆うように装着することが可能である、
空気調和装置（１、１０１）。
【請求項２】
前記第２吹出開口（２２ａ、２４ａ、１２２ａ〜１２５ａ）は、前記ケーシング（２、１０２）の側面の一部を切り取ることによって形成される、請求項１に記載の空気調和装置（１、１０１）。
【請求項３】
前記ケーシング（２、１０２）は、略矩形箱形状であり、
前記第１吹出開口（２６ｂ、１２６ｂ）は、前記ケーシングの下面の４辺のうち１対の対辺に沿うように形成されており、
前記第２吹出開口（２２ａ、２４ａ、１２２ａ〜１２５ａ）は、前記第１吹出開口が形成された前記ケーシングの下面の１対の対辺に対応する前記ケーシングの側面に沿うように形成されている、
請求項１又は２に記載の空気調和装置（１、１０１）。
【請求項４】
複数の前記ケーシングを前記第２吹出開口（２２ａ、２４ａ）が形成される側面に直交する側面同士が対向するように並べて配置する際に、隣り合う前記ケーシングに装着される前記第１化粧パネル（１１、１３）同士又は前記第２化粧パネル（１５、１７）同士を連結するためのパネル案内部材（１４、１８）をさらに備えている、請求項３に記載の空気調和装置（１）。
【請求項５】
前記ケーシング（２）の側面のうち前記第２吹出開口（２２ａ、２４ａ）が形成されない側面には、前記空気流路（Ｓ）に連通する連通開口（２３ａ、２５ａ）が形成されており、
前記ケーシングには、前記連通開口を介して前記空気流路（Ｓ）から空気を導出する空間（Ｔ）を形成する補助吹出チャンバ（１２、１６）を、前記ケーシングの側面のうち前記連通開口が形成された部分を覆うように装着することが可能である、
請求項３又は４に記載の空気調和装置（１）。
【請求項６】
前記連通開口（２３ａ、２５ａ）は、前記ケーシング（２）の側面の一部を切り取ることによって形成される、請求項５に記載の空気調和装置（１）。
【発明の詳細な説明】
【技術分野】
【０００１】
本発明は、空気調和装置、特に、空調室の天井に設置可能な天井設置型の空気調和装置に関する。
【背景技術】
【０００２】
従来の天井設置型の空気調和装置として、いわゆる天井埋込型の空気調和装置と、いわゆる天井吊下型の空気調和装置とがある。天井埋込型の空気調和装置は、下面に室内空気を吸入する吸入口と室内空気を吹き出す吹出口とが形成されたケーシングと、ケーシング内に配置される送風ファン及び熱交換器とを備えている。また、天井吊下型の空気調和装置は、下面に室内空気を吸入する吸入口と側面に室内空気を吹き出す吹出口とが形成されたケーシングと、ケーシング内に配置される送風ファン及び熱交換器とを備えている。
【発明の開示】
【発明が解決しようとする課題】
【０００３】
しかし、天井埋込型の空気調和装置は下面から吹き出し、天井吊下型の空気調和装置は側面から吹き出すという構成上の違い等から、天井埋込型の形態及び天井吊下型の形態の両方に対応することが可能な天井設置型の空気調和装置を提供しようという発想が存在しなかった。
本発明の課題は、天井埋込型の形態及び天井吊下型の形態の両方に対応することが可能な天井設置型の空気調和装置を提供することにある。
【課題を解決するための手段】
【０００４】
第１の発明にかかる空気調和装置は、空調室の天井に設置可能な空気調和装置であって、ケーシングと、送風ファンと、熱交換器とを備えている。ケーシングは、下面に吸入開口及び第１吹出開口と側面に第２吹出開口とが形成されるとともに、吸入開口から第１及び第２吹出開口に至る空気流路が形成されている。送風ファンは、空気流路内に配置されている。熱交換器は、空気流路内に配置されている。ケーシングには、吸入開口及び第１吹出開口にそれぞれ連通する吸入口及び第１吹出口が形成された第１化粧パネルを、ケーシングの下面を覆うように装着するか、又は、吸入開口及び第２吹出開口にそれぞれ連通する吸入口及び第２吹出口が形成された第２化粧パネルを、ケーシングの下面及び側面を覆うように装着することが可能である。
【０００５】
この空気調和装置では、ケーシングに第１化粧パネル又は第２化粧パネルのいずれかを装着することにより、天井埋込型の形態又は天井吊下型の形態の両方に対応することが可能となる。これにより、天井埋込型の形態及び天井吊下型の形態の両方に対応することが可能な天井設置型の空気調和装置を提供することができる。
【０００６】
第２の発明にかかる空気調和装置は、第１の発明にかかる空気調和装置において、第２吹出開口は、ケーシングの側面の一部を切り取ることによって形成される。
この空気調和装置では、第２吹出開口がケーシングの側面の一部を切り取ることによって形成されるため、ケーシングに第２化粧パネルを装着する際に、容易に第２吹出開口を形成することができる。また、ケーシングの側面及び下面の両方に空気を吹き出すように構成することが可能になり、また、第２吹出開口を形成するとともに第２吹出開口をダクト接続することで、ケーシングを設置する位置から離れた別の位置から空気を吹き出すように構成することも可能になる。
【０００７】
第３の発明にかかる空気調和装置は、第１又は第２の発明にかかる空気調和装置において、ケーシングは、略矩形箱形状である。第１吹出開口は、ケーシングの下面の４辺のうち１対の対辺に沿うように形成されている。第２吹出開口は、第１吹出開口が形成されたケーシングの下面の１対の対辺に対応するケーシングの側面に沿うように形成されている。
この空気調和装置では、第１吹出開口及び第２吹出開口が、ケーシングの下面の４辺のうち１対の対辺に沿うように形成されているため、天井埋込型の形態及び天井吊下型の形態のいずれの場合においても、少なくともケーシング内から２方向に空気を吹き出す構成が得られる。
【０００８】
第４の発明にかかる空気調和装置は、第３の発明にかかる空気調和装置において、複数のケーシングを第２吹出開口が形成される側面に直交する側面同士が対向するように並べて配置する際に、隣り合うケーシングに装着される第１化粧パネル同士又は第２化粧パネル同士を連結するためのパネル案内部材をさらに備えている。
【０００９】
この空気調和装置では、隣り合うケーシングに装着される第１又は第２化粧パネル同士を連結するためのパネル案内部材を備えているため、複数のケーシングを第２吹出開口が形成された側面に直交する側面同士が対向するように並べて配置する際に、２つの空気調和装置を連結させることが可能になり、別の大型の化粧パネルを準備することなく、大容量の空気調和装置を得ることができる。
【００１０】
第５の発明にかかる空気調和装置は、第３又は第４の発明にかかる空気調和装置において、ケーシングの側面のうち第２吹出開口が形成されない側面には、空気流路に連通する連通開口が形成されている。ケーシングには、連通開口を介して空気流路から空気を導出する空間を形成する補助吹出チャンバを、ケーシングの側面のうち連通開口が形成された部分を覆うように装着することが可能である。
【００１１】
この空気調和装置では、ケーシングに連通開口が形成されており、ケーシングの連通開口が形成された面を覆うように補助吹出チャンバを装着することができるため、補助吹出チャンバとともに第１化粧パネルをケーシングに装着することによって、本体下面から２方向だけでなく、他の方向にも空気を吹き出すような天井埋込型の形態を得たり、又は、補助吹出チャンバとともに第２化粧パネルをケーシングに装着することによって、本体側面から２方向だけでなく、他の方向にも空気を吹き出すような天井吊下型の形態を得ることできる。
【００１２】
第６の発明にかかる空気調和装置は、第５の発明にかかる空気調和装置において、連通開口は、ケーシングの側面の一部を切り取ることによって形成される。
この空気調和装置では、連通開口がケーシングの側面の一部を切り取ることによって形成されるため、ケーシングに補助吹出チャンバを装着する際に、容易に連通開口を形成することができる。
【発明の効果】
【００１３】
以上の説明に述べたように、本発明によれば、以下の効果が得られる。
第１の発明では、ケーシングに第１化粧パネル又は第２化粧パネルのいずれかを装着することにより、天井埋込型の形態又は天井吊下型の形態の両方に対応することが可能となる。
第２の発明では、ケーシングに第２化粧パネルを装着する際に、容易に第２吹出開口を形成することができる。また、ケーシングの側面及び下面の両方に空気を吹き出すように構成することが可能になり、また、第２吹出開口を形成するとともに第２吹出開口をダクト接続することで、ケーシングを設置する位置から離れた別の位置から空気を吹き出すように構成することも可能になる。
【００１４】
第３の発明では、天井埋込型の形態及び天井吊下型の形態のいずれの場合においても、ケーシング内から２方向に空気を吹き出す構成が得られる。
第４の発明では、複数のケーシングを第２吹出開口が形成された側面に直交する側面同士が対向するように並べて配置する際に、２つの空気調和装置を連結させることが可能になり、別の大型の化粧パネルを準備することなく、大容量の空気調和装置を得ることができる。
【００１５】
第５の発明では、補助吹出チャンバとともに第１化粧パネルをケーシングに装着することによって、本体下面から２方向だけでなく、他の方向にも空気を吹き出すような天井埋込型の形態を得たり、又は、補助吹出チャンバとともに第２化粧パネルをケーシングに装着することによって、本体側面から２方向だけでなく、他の方向にも空気を吹き出すような天井吊下型の形態を得ることできる。
【００１６】
第６の発明では、ケーシングに補助吹出チャンバを装着する際に、容易に連通開口を形成することができる。
【発明を実施するための最良の形態】
【００１７】
以下、図面に基づいて、本発明にかかる天井設置型の空気調和装置の実施形態について説明する。
［第１実施形態］
（１）天井設置型の空気調和装置の基本構成
図１に本発明の第１実施形態にかかる天井設置型の空気調和装置１の外観斜視図（天井は省略）を示す。空気調和装置１は、天井埋込型の形態及び天井吊下型の形態の両方に対応することが可能なものであり、主として、内部に各種構成機器を収納するケーシング２を備えている。
【００１８】
ケーシング２は、図１〜図３に示されるように、主として、下面が開口した略矩形箱形状のケーシング本体２ａと、ケーシング本体２ａの下面の開口を覆うようにケーシング本体２ａの下部に装着されたドレンパン２ｂとを有している。ここで、図２は、空気調和装置１の概略側面断面図であって、図１又は図３のＡ−Ａ断面図である。図３は、空気調和装置１の概略平面断面図であって、天板２１を取り除いた状態を示す図である。
【００１９】
ケーシング本体２ａは、ケーシング２の上面及び側面を構成しており、その平面視において、長辺と短辺とが交互に連続するように形成された略矩形形状の天板２１と、天板２１の周縁部から下方に延びる側板２２、２３、２４、２５とを有している。側板２２、２４は、それぞれ、天板２１の長辺に対応しており、互いに対向する一対の対辺を構成している。側板２３、２５は、それぞれ、天板２１の短辺に対応しており、互いに対向する一対の対辺を構成している。
【００２０】
側板２２には、側面吹出開口２２ａを、側板２２の一部を切り取ることによって形成する際の切取線として機能する側面吹出開口用切取線２２ｂが形成されている。また、側板２４には、側板２２と同様に、側面吹出開口２４ａを、側板２４の一部を切り取ることによって形成する際の切取線として機能する側面吹出開口用切取線２４ｂが形成されている。各側面吹出開口２２ａ、２４ａは、各側板２２、２４の上下方向の略中央の位置において、各側板２２、２４の長手方向に沿って水平に延びる細長い略矩形形状の開口である。そして、各側面吹出開口用切取線２２ｂ、２４ｂは、各側面吹出開口２２ａ、２４ａの輪郭を型取るように、各側板２２、２４に形成されている。
【００２１】
側板２３には、側面吹出開口２２ａ、２４ａとは別の補助連通開口２３ａを、側板２３の一部を切り取ることによって形成する形成する際の切取線として機能する補助連通開口用切取線２３ｂが形成されている。また、側板２５には、側板２３と同様に、側面吹出開口２２ａ、２４ａとは別の補助連通開口２５ａを、側板２５の一部を切り取ることによって形成する際の切取線として機能する補助連通開口用切取線２５ｂが形成されている。補助連通開口２３ａは、側板２３の長手方向両端側に形成される２つの開口である。各補助連通開口２３ａは、本実施形態において、側板２３の下側の角部付近に形成されるものであり、側板２３の角部に沿って延びる互いが略直交する２辺とこれらの２辺の端部を結ぶ斜辺とからなる略直角三角形状の開口である。また、補助連通開口２５ａは、側板２５の長手方向両端側（すなわち、側板２２、２４側）の部分に形成される２つの開口である。各補助連通開口２５ａは、本実施形態において、側板２５の下側の角部付近に形成されるものであり、側板２５の角部に沿って延びる互いが略直交する２辺とこれらの２辺の端部を結ぶ斜辺とからなる略直角三角形状の開口である。そして、各補助連通開口用切取線２３ｂ、２５ｂは、各補助連通開口２３ａ、２５ａの輪郭を型取るように、各側板２３、２５に形成されている。
【００２２】
ドレンパン２ｂは、ケーシング２の下面を構成しており、その平面視において、天板２１と同様、長辺と短辺とが交互に連続するように形成された略矩形形状の板状部材である。
ドレンパン２ｂには、ケーシング２の平面視において水平方向に並んで複数（ここでは、２つ）の吸入開口２６ａが形成されている。ここで、２つの吸入開口２６ａは、ケーシング２の平面視においてドレンパン２ｂを長手方向に２つに分割する面に対して対称な位置に、かつ、ケーシング２の平面視においてドレンパン２ｂの長手方向に直交する方向の略中央の位置に配置されている。
【００２３】
また、ドレンパン２ｂには、ケーシング２の平面視においてドレンパン２ｂの長手方向に直交する方向の両端側（すなわち、側板２２、２４側）の部分に、２つの下面吹出開口２６ｂが形成されている。各下面吹出開口２６ｂは、ドレンパン２ｂの長手方向に沿って水平に延びる細長い略矩形形状の開口である。
ケーシング２内には、各吸入開口２６ａに対向するようにかつ回転軸線Ｏ−Ｏが上下方向に延びるように、送風ファン３が配置されている。より具体的には、送風ファン３は、ターボファンからなり、ケーシング２の天板２１の各吸入開口２６ａに対向する位置に設けられたファンモータ３１と、ファンモータ３１に連結されて回転駆動される羽根車３２とを有している。羽根車３２は、ファンモータ３１に連結される円板状のエンドプレート３３と、エンドプレート３３の下面の外周部に設けられた複数のブレード３４と、ブレード３４の下側に設けられた中央に開口を有する円板状のエンドリング３５とを有している。また、各吸入開口２６ａには、エンドプレート３３の吸入開口２６ａ側の先端付近から下方に向かって末広がりの形状を有するベルマウス４が配置されている。
【００２４】
また、ケーシング２内には、ケーシング２の平面視において２つの送風ファン３の配列方向（すなわち、ケーシング２の長手方向）に直交する側に、送風ファン３の配列方向（すなわち、ケーシング２の長手方向）に延びる２つの熱交換器５が、送風ファン３を挟むように配置されている。より具体的には、各熱交換器５は、図４に示されるように、積層型熱交換器からなり、上下方向に延びる伝熱管５１とフィン５２とが交互に積層し、かつ、伝熱管５１の上端と下端とがそれぞれ上部ヘッダー管５３と下部ヘッダー管５４とによって接続されることにより構成されている。伝熱管５１は偏平管であり、また、フィン５２はアルミ製のコルゲートフィンである。ここで、図４は、上下方向に延びる伝熱管５１を有する積層型熱交換器を示す図である。そして、各熱交換器５は、ケーシング２を側面視（すなわち、ケーシング２を長手方向から見た際）において傾斜して配置されている。より具体的には、各熱交換器５は、送風ファン３に対して上部が下部よりも遠い側に傾斜して配置されている。また、ドレンパン２ｂの各熱交換器５の下部に対向する位置には、ドレン受け部２６ｃが形成されている。
【００２５】
そして、この空気調和装置１のケーシング２内には、吸入開口２６ａから、送風ファン３及び熱交換器５を通過して下面吹出開口２６ｂに至る空気流路Ｓが形成されている。ここで、空気流路Ｓのうち熱交換器５よりも上流側の部分を空気流路Ｓ１と熱交換器５よりも下流側の部分を空気流路Ｓ２とすると、側板２２、２４に形成された側面吹出開口用切取線２２ｂ、２４ｂは側板２２、２４のうち熱交換器５の下側の空気流路Ｓ２に面する部分に形成されており、また、側板２３、２５に形成された補助連通開口用切取線２３ｂ、２５ｂは側板２３、２５のうち熱交換器５の下側の空気流路Ｓ２に面する略直角三角形の部分に形成されている。このため、側板２２、２４を側面吹出開口用切取線２２ｂ、２４ｂに沿って切り取ることによって形成される側面吹出開口２２ａ、２４ａは、下面吹出開口２６ｂと同様に、熱交換器５を通過した後の空気を吹き出すことができる。また、側板２３、２５を補助連通開口用切取線２３ｂ、２５ｂに沿って切り取ることによって形成される補助連通開口２３ａ、２５ａは、下面吹出開口２６ｂと同様に、熱交換器５を通過した後の空気を吹き出すことができる。
【００２６】
（２）天井埋込型の形態にする場合
＜２方向に吹き出す天井埋込型の空気調和装置の形態にする場合＞
上述の天井設置型の空気調和装置１を２方向に吹き出すタイプの天井埋込型の空気調和装置の形態にする場合には、図５及び図６に示されるように、天井埋込用化粧パネル１１をケーシング２の下面を覆うように装着する。ここで、図５は、天井設置型の空気調和装置１の外観斜視図であって、２方向に吹き出す天井埋込型の形態にした状態を示す図である。図６は、天井設置型の空気調和装置１の概略側面断面図であって、図５のＡ−Ａ断面図である。
【００２７】
天井埋込用化粧パネル１１は、その平面視において、ケーシング２（すなわち、天板２１やドレンパン２ｂ）よりも大きな略矩形形状の板状部材であり、ケーシング２の２つの吸入開口２６ａに連通する吸入口１１ａと、ケーシング２の各下面吹出開口２６ｂに連通する２つの下面吹出口１１ｂとが形成されている。下面吹出口１１ｂは、ケーシング２の平面視において天井埋込用化粧パネル１１の長手方向に直交する方向の両端側（すなわち、側板２２、２４側）の位置に配置されており、天井埋込用化粧パネル１１の長手方向に沿って水平に延びる細長い略矩形形状の開口である。吸入口１１ａは、下面吹出口１１ｂによって両側から挟まれる位置に配置されている。また、吸入口１１ａには、フィルタ１１ｃが配置されている。
【００２８】
そして、このような天井埋込用化粧パネル１１をケーシング２の下面（すなわち、ドレンパン２ｂ）を覆うように装着することによって、２方向に吹き出すタイプの天井埋込型の空気調和装置が構成される。尚、この形態は、側面吹出開口２２ａ、２４ａや補助連通開口２３ａ、２５ａを使用しない形態であるため、側板２２、２４を側面吹出開口用切取線２２ｂ、２４ｂに沿って切り取ることや、側板２３、２５を補助連通開口用切取線２３ｂ、２５ｂに沿って切り取ることは行わない（図１参照）。
【００２９】
このように構成された天井埋込型の形態を有する空気調和装置１では、冷却媒体又は加熱媒体を熱交換器５に流通させるとともに送風ファン３を回転駆動することによって、空調室内の空気を本体下面から（すなわち、天井埋込用化粧パネル１１の吸入口１１ａ及び吸入開口２６ａを通じて）、ケーシング２内に吸入して、送風ファン３の外周側に吹き出し、熱交換器５を通過させて加熱又は冷却した後に、本体下面から（すなわち、下面吹出開口２６ｂ及び下面吹出口１１ｂを通じて）、空調室内に２方向に吹き出すことができる。
【００３０】
尚、ここでは図示しないが、上述のような天井埋込型の形態にした状態において、側板２２、２４を側面吹出開口用切取線２２ｂ、２４ｂに沿って切り取ることによって側面吹出開口２２ａ、２４ａを形成するとともに、側面吹出開口２２ａ、２４ａをダクト接続することで、ケーシング２を設置する位置から離れた別の位置から空気を吹き出すように構成することも可能になる。
【００３１】
＜２方向よりも多くの方向に吹き出す天井埋込型の空気調和装置の形態にする場合＞
上述の天井設置型の空気調和装置１を２方向よりも多くの方向（ここでは、全周）に吹き出すタイプの天井埋込型の空気調和装置の形態にする場合には、図７及び図８に示されるように、補助吹出チャンバ１２をケーシング２の側板２３、２５を覆うように装着するとともに、天井埋込用化粧パネル１３をケーシング２の下面を覆うように装着する。ここで、図７は、天井設置型の空気調和装置１の外観斜視図であって、全周に吹き出す天井埋込型の形態にした状態を示す図である。図８は、天井設置型の空気調和装置１の概略側面断面図であって、図７のＢ−Ｂ断面図である。尚、図７のＡ−Ａ断面については、上述の図６と同様であるため、ここでは、図示を省略する。
【００３２】
補助吹出チャンバ１２は、ケーシング２の側板２３、２５に対向する側面が開口した略矩形箱形状の部材であり、ケーシング２の側板２３、２５を覆うように装着することによって側板２３、２５との間に中空の空間Ｔを形成することができる。また、補助吹出チャンバ１２の下面には、側板２３、２５の長手方向に沿って水平に延びる細長い略矩形形状の開口からなる補助吹出開口１２ａが形成されている。そして、この補助吹出チャンバ１２がケーシング２の側板２３、２５を覆うように装着される際には、側板２３、２５を補助連通開口用切取線２３ｂ、２５ｂに沿って切り取ることによって補助連通開口２３ａ、２５ａを形成し、ケーシング２内の空気流路Ｓ（より具体的には、空気流路Ｓ２）と補助吹出チャンバ１２の空間Ｔとを連通させるようにしている（図１参照）。
【００３３】
天井埋込用化粧パネル１３は、その平面視において、側板２３、２５を覆うように補助吹出チャンバ１２が装着されたケーシング２よりも大きな略矩形形状の板状部材であり、ケーシング２の２つの吸入開口２６ａに連通する吸入口１３ａと、ケーシング２の下面吹出開口２６ｂ及び補助吹出チャンバ１２の補助吹出開口１２ａに連通する下面吹出口１３ｂとが形成されている。下面吹出口１３ｂは、２つの下面吹出開口２６ｂ及び２つの補助吹出開口１２ａの全てに対向するように、かつ、ケーシング２の平面視において吸入口１３ａを囲むように配置された矩形環状の開口である。また、吸入口１３ａには、フィルタ１３ｃと吸入グリル１３ｄとが配置されている。
【００３４】
そして、このような補助吹出チャンバ１２をケーシング２の側板２３、２５を覆うように装着するとともに、このような天井埋込用化粧パネル１３をケーシング２の下面（すなわち、ドレンパン２ｂ）及び補助吹出チャンバ１２の下面を覆うように装着することによって、全周に吹き出すタイプの天井埋込型の空気調和装置が構成される。尚、この形態は、側面吹出開口２２ａ、２４ａを使用しない形態であるため、側板２２、２４を側面吹出開口用切取線２２ｂ、２４ｂに沿って切り取ることは行わない（図１参照）。
【００３５】
このように構成された天井埋込型の形態を有する空気調和装置１では、冷却媒体又は加熱媒体を熱交換器５に流通させるとともに送風ファン３を回転駆動することによって、空調室内の空気を本体下面から（すなわち、天井埋込用化粧パネル１３の吸入口１３ａ及び吸入開口２６ａを通じて）、ケーシング２内に吸入して、送風ファン３の外周側に吹き出し、熱交換器５を通過させて加熱又は冷却した後に、本体下面から（すなわち、下面吹出開口２６ｂ、補助連通開口２３ａ、２５ａ、補助吹出開口１２ａ及び下面吹出口１３ｂを通じて）、空調室内に全周（すなわち、４方向）に吹き出すことができる（図６の符号１１を符号１３に読み替えて参照）。
【００３６】
尚、ここでは、下面吹出口１３ｂは、下面吹出開口２６ｂ及び補助吹出開口１２ａの全てに連通する矩形環状の開口であるが、各下面吹出開口２６ａ及び各補助吹出開口１２ａに連通する４つの吹出口であってもよい。
また、ここでは、補助吹出チャンバ１２をケーシング２の側板２３、２５の両方に装着することで４方向に吹き出すようにしているが、側板２３、２５の一方のみに装着することで３方向に吹き出すようにしてもよい。
さらに、ここでは、補助吹出チャンバ１２が化粧パネル１３と別体であるが、一体の部材としてもよい。
【００３７】
＜天井埋込型の空気調和装置の形態のものを連結する場合＞
上述の天井埋込型の形態を有する空気調和装置１（具体的には、２方向に吹き出すタイプの空気調和装置１、図５及び図６を参照）を複数台（ここでは、２台）連結する場合には、図９及び図１０に示されるように、パネル案内部材としてのパネル連結ピン１４を用いて隣り合う天井埋込用化粧パネル１１の端部同士を連結する。ここで、図９は、天井設置型の空気調和装置１の外観斜視図であって、２方向に吹き出す天井埋込型の形態のものを連結した状態を示す図である。図１０は、図９のＣ部分の拡大図である。
【００３８】
（３）天井吊下型の形態にする場合
＜２方向に吹き出す天井吊下型の空気調和装置の形態にする場合＞
上述の天井設置型の空気調和装置１を２方向に吹き出すタイプの天井吊下型の空気調和装置の形態にする場合には、図１１及び図１２に示されるように、天井吊下用化粧パネル１５をケーシング２の下面及び側面を覆うように装着する。ここで、図１１は、天井設置型の空気調和装置１の外観斜視図であって、２方向に吹き出す天井吊下型の形態にした状態を示す図である。図１２は、天井設置型の空気調和装置１の概略側面断面図であって、図１１のＡ−Ａ断面図である。
【００３９】
天井吊下用化粧パネル１５は、上面が開口した略矩形箱形状の部材であり、ケーシング２が上面の開口から嵌め込むことができるようになっている。天井吊下用化粧パネル１５は、その平面視においてケーシング２（すなわち、天板２１やドレンパン２ｂ）よりも大きな略矩形形状の下面部６１と、下面部６１の周縁部から上方に延びる側面部６２、６３、６４、６５とを有している。側面部６２、６４は、それぞれ、ケーシング２の側板２２、２４に沿って配置されている。側面部６３、６５は、それぞれ、ケーシング２の側板２３、２５に沿って配置されている。下面部６１には、ケーシング２の２つの吸入開口２６ａに連通する吸入口６１ａが形成されている。吸入口６１ａは、ケーシング２の平面視において下面吹出開口２６ｂによって両側から挟まれる位置に配置されている。また、吸入口６１ａには、フィルタ６１ｃが配置されている。尚、下面部６１には、天井埋込用化粧パネル１１とは異なり、ケーシング２の下面吹出開口２６ｂに連通する下面吹出口は形成されていない。側面部６２には、側面吹出開口用切取線２２ｂに対向するように（すなわち、側面吹出開口２２ａに連通するように）側面吹出口６２ａが形成されている。また、側面部６４には、側面吹出開口用切取線２４ｂに対向するように（すなわち、側面吹出開口２４ａに連通するように）側面吹出口６４ａが形成されている。各側面吹出口６２ａ、６４ａは、天井吊下用化粧パネル１５の長手方向に沿って水平に延びる細長い略矩形形状の開口である。
【００４０】
そして、このような天井吊下用化粧パネル１５をケーシング２の下面（すなわち、ドレンパン２ｂ）及び側面（すなわち、側板２２、２３、２４、２５）を覆うように装着することによって、２方向に吹き出すタイプの天井吊下型の空気調和装置が構成される。尚、この形態は、補助連通開口２３ａ、２５ａを使用しない形態であるため、側板２３、２５を補助連通開口用切取線２３ｂ、２５ｂに沿って切り取ることは行わない（図１参照）。
【００４１】
このように構成された天井吊下型の形態を有する空気調和装置１では、冷却媒体又は加熱媒体を熱交換器５に流通させるとともに送風ファン３を回転駆動することによって、空調室内の空気を本体下面から（すなわち、天井吊下用化粧パネル１５の吸入口６１ａ及び吸入開口２６ａを通じて）、ケーシング２内に吸入して、送風ファン３の外周側に吹き出し、熱交換器５を通過させて加熱又は冷却した後に、本体側面から（すなわち、側面吹出開口２２ａ、２４ａ及び側面吹出口６２ａ、６４ａを通じて）、空調室内に２方向に吹き出すことができる。
尚、ここでは図示しないが、天井吊下用化粧パネル１５の下面に、ケーシング２の下面吹出開口２６ｂに連通する下面吹出口を形成することにより、ケーシング２の側面及び下面の両方から（すなわち、側方及び下方の４方向）に空気を吹き出すように構成することも可能になる。
【００４２】
＜２方向よりも多くの方向に吹き出す天井吊下型の空気調和装置の形態にする場合＞
上述の天井吊下型の空気調和装置１を２方向よりも多くの方向（ここでは、４方向）に吹き出すタイプの天井吊下型の空気調和装置の形態にする場合には、図１３及び図１４に示されるように、補助吹出チャンバ１６をケーシング２の側板２３、２５を覆うように装着するとともに、天井吊下用化粧パネル１７をケーシング２の下面を覆うように装着する。ここで、図１３は、天井設置型の空気調和装置１の外観斜視図であって、４方向に吹き出す天井吊下型の形態にした状態を示す図である。図１４は、天井設置型の空気調和装置１の概略側面断面図であって、図１３のＢ−Ｂ断面図である。尚、図１３のＡ−Ａ断面については、上述の図１２と同様であるため、ここでは、図示を省略する。
【００４３】
補助吹出チャンバ１６は、ケーシング２の側板２３、２５に対向する側面が開口した略矩形箱形状の部材であり、ケーシング２の側板２３、２５を覆うように装着することによって側板２３、２５との間に中空の空間Ｔを形成することができる。また、補助吹出チャンバ１２の側板２３、２５から遠い側の側面には、側板２３、２５の長手方向に沿って水平に延びる細長い略矩形形状の開口からなる補助吹出開口１６ａが形成されている。そして、この補助吹出チャンバ１６がケーシング２の側板２３、２５を覆うように装着される際には、側板２３、２５を補助連通開口用切取線２３ｂ、２５ｂに沿って切り取ることによって補助連通開口２３ａ、２５ａを形成し、ケーシング２内の空気流路Ｓ（より具体的には、空気流路Ｓ２）と補助吹出チャンバ１６の空間Ｔとを連通させるようにしている（図１参照）。
【００４４】
天井吊下用化粧パネル１７は、上面が開口した略矩形箱形状の部材であり、補助吹出チャンバ１６が装着されたケーシング２が上面の開口から嵌め込むことができるようになっている。天井吊下用化粧パネル１７は、その平面視において補助吹出チャンバ１６が装着されたケーシング２よりも大きな略矩形形状の下面部７１と、下面部７１の周縁部から上方に延びる側面部７２、７３、７４、７５とを有している。側面部７２、７４は、それぞれ、ケーシング２の側板２２、２４に沿って配置されている。側面部７３、７５は、それぞれ、補助吹出チャンバ１６の側板２３、２５から遠い側の側面に沿って配置されている。下面部７１には、ケーシング２の２つの吸入開口２６ａに連通する吸入口７１ａが形成されている。吸入口７１ａは、ケーシング２の平面視において下面吹出開口２６ｂによって両側から挟まれる位置に配置されている。また、吸入口７１ａには、フィルタ７１ｃと吸入グリル７１ｄとが配置されている。尚、下面部７１には、天井埋込用化粧パネル１３とは異なり、ケーシング２の下面吹出開口２６ｂに連通する下面吹出口は形成されていない。側面部７２には、側面吹出開口用切取線２２ｂに対向するように（すなわち、側面吹出開口２２ａに連通するように）側面吹出口７２ａが形成されている。また、側面部７４には、側面吹出開口用切取線２４ｂに対向するように（すなわち、側面吹出開口２４ａに連通するように）側面吹出口７４ａが形成されている。各側面吹出口７２ａ、７４ａは、天井吊下用化粧パネル１７の長手方向に沿って水平に延びる細長い略矩形形状の開口である。さらに、各側面部７３、７５には、補助吹出開口１６ａに連通する補助吹出口７３ａ、７５ａが形成されている。補助吹出口７３ａ、７５ａは、側面部７３、７５の長手方向に沿って水平に延びる細長い略矩形形状の開口からなる。
【００４５】
そして、このような補助吹出チャンバ１６をケーシング２の側板２３、２５を覆うように装着するとともに、このような天井吊下用化粧パネル１７をケーシング２及び補助吹出チャンバ１６の下面及びケーシング２及び補助吹出チャンバ１６の側面を覆うように装着することによって、４方向に吹き出すタイプの天井吊下型の空気調和装置が構成される。
このように構成された天井吊下型の形態を有する空気調和装置１では、冷却媒体又は加熱媒体を熱交換器５に流通させるとともに送風ファン３を回転駆動することによって、空調室内の空気を本体下面から（すなわち、天井吊下用化粧パネル１７の吸入口７１ａ及び吸入開口２６ａを通じて）、ケーシング２内に吸入して、送風ファン３の外周側に吹き出し、熱交換器５を通過させて加熱又は冷却した後に、本体側面から（すなわち、側面吹出開口２２ａ、２４ａ、補助連通開口２３ａ、２５ａ、補助吹出開口１６ａ、側面吹出口７２ａ、７４ａ及び補助吹出口７３ａ、７５ａを通じて）、空調室内に４方向に吹き出すことができる（図１２の符号１５を符号１７に読み替えて参照）。
【００４６】
尚、ここでは、補助吹出チャンバ１７をケーシング２の側板２３、２５の両方に装着することで４方向に吹き出すようにしているが、側板２３、２５の一方のみに装着することで３方向に吹き出すようにしてもよい。
さらに、ここでは、補助吹出チャンバ１６が天井吊下用化粧パネル１７と別体であるが、一体の部材としてもよい。
【００４７】
＜天井吊下型の空気調和装置の形態のものを連結する場合＞
上述の天井吊下型の形態を有する空気調和装置１（具体的には、２方向に吹き出すタイプの空気調和装置１、図１１及び図１２を参照）を複数台（ここでは、２台）連結する場合には、図１５及び図１６に示されるように、パネル案内部材としてのパネル連結ピン１８を用いて隣り合う天井吊下用化粧パネル１５の端部同士を連結する。ここで、図１５は、天井設置型の空気調和装置１の外観斜視図であって、２方向に吹き出す天井吊下型の形態のものを連結した状態を示す図である。図１６は、図１５のＣ部分の拡大図である。
【００４８】
（４）本実施形態の空気調和装置の特徴
本実施形態の天井設置型の空気調和装置１には、以下のような特徴がある。
（Ａ）
本実施形態の天井設置型の空気調和装置１では、ケーシング２に第１化粧パネルとしての天井埋込用化粧パネル１１、１３又は第２化粧パネルとしての天井吊下用化粧パネル１５、１７のいずれかを装着することにより、空気を本体下面（具体的には、吸入口１１ａ、１３ａ）から吸入して本体下面（具体的には、下面吹出口１１ｂ、１２ａ、１３ｂ）から吹き出す天井埋込型の形態又は空気を本体下面（具体的には、吸入口６１ａ、７１ａ）から吸入して本体側面（具体的には、側面吹出口６２ａ、６４ａ、７２ａ、７３ａ、７４ａ、７５ａ）から吹き出す天井吊下型の形態の両方に対応することが可能である。
【００４９】
また、側面吹出開口２２ａ、２４ａは、ケーシング２の側面（具体的には、側板２２、２４）の一部を切り取ることによって形成されるため、ケーシング２に天井吊下用化粧パネル１５、１７を装着する際に、容易に側面吹出開口２２ａ、２４ａを形成することができる。
しかも、２方向に吹き出す天井埋込型の形態にした状態において、側板２２、２４を側面吹出開口用切取線２２ｂ、２４ｂに沿って切り取ることによって側面吹出開口２２ａ、２４ａを形成するとともに、側面吹出開口２２ａ、２４ａをダクト接続することで、ケーシング２を設置する位置から離れた別の位置から空気を吹き出すように構成することも可能である。
さらに、天井吊下用化粧パネル１５の下面に、ケーシング２の下面吹出開口２６ｂに連通する下面吹出口を形成することにより、ケーシング２の側面及び下面の両方から（すなわち、側方及び下方の４方向）に空気を吹き出すように構成することも可能である。
【００５０】
（Ｂ）
本実施形態の天井設置型の空気調和装置１では、天井埋込型の形態にする際に使用される第１吹出開口としての下面吹出開口２６ｂと、天井吊下型の形態にする際に使用される第２吹出開口としての側面吹出開口２２ａ、２４ａとが、ケーシング２の下面（具体的には、ドレンパン２ｂ）の４辺のうち１対の対辺に沿うように形成されているため、天井埋込型の形態及び天井吊下型の形態のいずれの場合においても、少なくともケーシング２内から２方向に空気を吹き出す構成が得られるようになっている。
【００５１】
しかも、この空気調和装置１では、複数のケーシング２を側面吹出開口２２ａ、２４ａが形成される側面（具体的には、側板２２、２４）に直交する側面（具体的には、側板２３、２５）同士が対向するように並べて配置する際に、隣り合うケーシング２に装着される天井埋込用化粧パネル１１又は天井吊下用化粧パネル１５同士を連結するためのパネル案内部材としてのパネル連結ピン１４、１８を備えているため、２つの空気調和装置１を連結させることが可能になり、別の大型の化粧パネル等を準備することなく、大容量の空気調和装置を得ることができるようになっている。
【００５２】
（Ｃ）
本実施形態の天井設置型の空気調和装置１では、ケーシング２の側面のうち側面吹出開口２２ａ、２４ａが形成されない側面（すなわち、側板２３、２５）には、空気流路Ｓ（具体的には熱交換器５の下流側の空気流路Ｓ２）に連通する補助連通開口２３ａ、２５ａが形成することができるようになっており、補助連通開口２３ａ、２５ａが形成された側面（すなわち、側板２３、２５）を覆うように補助吹出チャンバ１２を装着するとともに、補助吹出チャンバ１２が装着されたケーシング２に天井埋込用化粧パネル１３を装着することによって、本体下面から２方向だけでなく、２方向よりも多くの方向にも空気を吹き出すような天井埋込型の形態を得たり、又は、補助連通開口２３ａ、２５ａが形成された側面（すなわち、側板２３、２５）を覆うように補助吹出チャンバ１６を装着するとともに、補助吹出チャンバ１６が装着されたケーシング２に天井吊下用化粧パネル１７を装着することによって、本体側面から２方向だけでなく、２方向よりも多くの方向にも空気を吹き出すような天井吊下型の形態を得ることできるようになっている。
また、補助連通開口２３ａ、２５ａは、ケーシング２の側面（具体的には、側板２３、２５）の一部を切り取ることによって形成されるため、ケーシング２に補助吹出チャンバ１２、１６を装着する際に、容易に補助連通開口２３ａ、２５ａを形成することができる。
【００５３】
（Ｄ）
本実施形態の天井設置型の空気調和装置１では、ケーシング２内において、回転軸線Ｏ−Ｏが上下方向に延びるターボファンからなる複数の送風ファン３がケーシング２の平面視において水平方向に並んで配置され、かつ、複数の送風ファン３の配列方向に沿って延びる２つの熱交換器５がケーシング２の平面視において複数の送風ファン３の配列方向に直交する側に配置されているため、ケーシング２の高さ方向寸法のコンパクト化を実現することができる。これにより、上述のような天井埋込型の形態及び天井吊下型の形態の両方に対応するにあたり、ケーシング２及びケーシング２内に収容される部品の共通化を図ることができるようになっている。
【００５４】
（Ｅ）
本実施形態の天井設置型の空気調和装置１では、熱交換器５として積層型熱交換器を採用しているため、熱交換率が高くコンパクト化が可能であるため、ケーシング２の高さ方向寸法のさらなるコンパクト化が実現されている。
しかも、本実施形態の熱交換器５は、上下方向に延びる伝熱管５１とフィン５２とが交互に積層し、かつ、伝熱管５１の上端と下端とがそれぞれ上部ヘッダー管５３と下部ヘッダー管５４とによって接続されることにより構成されているため、熱交換器５の表面に結露が生じた場合に、その結露水を主として伝熱管５１を経由して速やかに下方に導くことができるため、結露を伴う熱交換の際にも、高い熱交換効率を維持することができる。
【００５５】
また、熱交換器５は、ケーシング２の側面視（すなわち、ケーシング２を長手方向から見た際）において、傾斜して配置されているため、ケーシング２の高さ方向寸法のコンパクト化を実現しつつ、熱交換器５の伝熱面積を大きくすることができるようになっている。
さらに、熱交換器５は、ケーシング２の側面視（すなわち、ケーシング２を長手方向から見た際）において、複数の送風ファン３に対して、上部が下部よりも遠い側に傾斜して配置されているため、ケーシング２の下面に吹出口が配置される形態（すなわち、天井埋込型の形態）の場合に、吹出口に干渉することなく熱交換器５を配置することができるようになっている。
【００５６】
（５）変形例１
上述の実施形態においては、熱交換器５として、上下方向に延びる伝熱管５１とフィン５２とが交互に積層し、かつ、伝熱管５１の上端と下端とがそれぞれ上部ヘッダー管５３と下部ヘッダー管５４とによって接続されることにより構成された積層型熱交換器を採用しているが、図１７に示されるように、水平方向に延びる伝熱管５１とフィンとが交互に積層し、かつ、伝熱管５１の一側端と他側端とがそれぞれ第１側部ヘッダー管５３と第２側部ヘッダー管５４とによって接続されることにより構成された積層型熱交換器を採用してもよい。
【００５７】
この空気調和装置１では、伝熱管５１が水平方向に延びており、熱交換器５を構成する伝熱管５１の本数を少なくすることができるとともにヘッダー管５３、５３の長さを短くすることができるため、ケーシングの高さ方向寸法のコンパクト化を実現しつつ、熱交換性能を高めることができる。
【００５８】
（６）変形例２
上述の実施形態においては、熱交換器５として積層型熱交換器を採用したが、クロスフィン型熱交換器を採用してもよい。
クロスフィン型熱交換器からなる熱交換器５は、図１８〜２０に示されるように、上述の実施形態と同様、ケーシング２の平面視において２つの送風ファン３の配列方向（すなわち、ケーシング２の長手方向）に直交する側に、送風ファン３の配列方向（すなわち、ケーシング２の長手方向）に延びており、送風ファン３を挟むようにケーシング２内に配置されている。ここで、図１８は、本変形例にかかる天井設置型の空気調和装置１の外観斜視図（天井は省略）である。図１９は、本変形例にかかる空気調和装置１の概略側面断面図であって、図１８又は図２０のＡ−Ａ断面図である。図２０は、本変形例にかかる空気調和装置１の概略平面断面図であって、天板２１を取り除いた状態を示す図である。
【００５９】
熱交換器５は、図２１に示されるように、略矩形状に形成されたアルミニウム製の多数のフィン５５と、これらのフィン５５を水平方向に貫通する伝熱管５６とを有している。ここで、図２１は、クロスフィン型熱交換器を示す図である。そして、各熱交換器５には、上述の実施形態と異なり多段曲げ加工が施されており、ケーシング２の平面視において、波形形状に成形されている。すなわち、熱交換器５には、ケーシング２の平面視において、送風ファン３の回転中心Ｏを通る鉛直面（ここでは、側板２２及び側板２４に平行な鉛直面）に近づく部分５ａと、送風ファン３の回転中心Ｏを通る鉛直面（ここでは、側板２２及び側板２４に平行な鉛直面）から遠ざかる部分５ｂとが交互に形成されている。尚、本実施形態において、熱交換器５が送風ファン３の外周部に最も接近する位置には、送風ファン３の回転中心Ｏを通る鉛直面（ここでは、側板２２及び側板２４に平行な鉛直面）から遠ざかる部分５ｂが配置されるように、多段曲げ加工が施されている。
【００６０】
尚、熱交換器５の構造や配置を除いた本変形例にかかる空気調和装置１の構成については、熱交換器５の波形形状に合わせてドレンパン２ｂのドレン受け部２６ｃが形成されている点や、補助連通開口用切取線２３ｂ、２５ｂ及び補助連通開口２３ａ、２５ａの形状が略矩形形状になっている点を除いては、基本的に、上述の第１実施形態の空気調和装置１と同じであるため、ここでは説明を省略する（但し、図１８〜図２０に図１〜図３と同じ符号を付しておくものとする）。
【００６１】
このような本変形例の天井設置型の空気調和装置１においても、上述の第１実施形態と同様、ケーシング２に第１化粧パネルとしての天井埋込用化粧パネル１１、１３又は第２化粧パネルとしての天井吊下用化粧パネル１５、１７のいずれかを装着することにより、空気を本体下面（具体的には、吸入口１１ａ、１３ａ）から吸入して本体下面（具体的には、下面吹出口１１ｂ、１２ａ、１３ｂ）から吹き出す天井埋込型の形態、又は、空気を本体下面（具体的には、吸入口６１ａ、７１ａ）から吸入して本体側面（具体的には、側面吹出口６２ａ、６４ａ、７２ａ、７３ａ、７４ａ、７５ａ）から吹き出す天井吊下型の形態の両方に対応することが可能である。
【００６２】
また、本変形例の空気調和装置１では、熱交換器５としてクロスフィン型熱交換器を採用しているため、熱交換器５の表面に結露が生じた場合に、その結露水を主として多数のフィン５５を経由して速やかに下方に導くことができるため、結露を伴う熱交換の際にも、高い熱交換効率を維持することができるようになっている。
さらに、本変形例の熱交換器５では、多段曲げ加工が施されている。より具体的には、熱交換器５には、ケーシング２の平面視において、送風ファン３の回転中心Ｏを通る鉛直面（ここでは、側板２２及び側板２４に平行な鉛直面）に近づく部分５ａ（すなわち、送風ファン３の外周部側に向かって突出する部分）が形成されるように、多段曲げ加工が施されている。これにより、本変形例の熱交換器５では、ケーシング２の高さ方向寸法のコンパクト化を実現しつつ、熱交換器５の伝熱面積を大きくすることができるようになっている。
【００６３】
（７）変形例３
また、上述の変形例２のように熱交換器５としてクロスフィン型熱交換器を採用する場合において、クロスフィン型熱交換器からなる熱交換器５を、第１実施形態の積層型熱交換器からなる熱交換器５（図２参照）と同様、ケーシング２を側面視（すなわち、ケーシング２を長手方向から見た際）において、送風ファン３に対して上部が下部よりも遠い側に傾斜するように配置してもよい。この場合においても、ケーシング２の高さ方向寸法のコンパクト化を実現しつつ、熱交換器５の伝熱面積を大きくすることができ、また、送風ファン３に対して、上部が下部よりも遠い側に傾斜して配置されることで、吹出口に干渉することなく熱交換器５を配置することができる。
【００６４】
また、ケーシング２の高さ方向寸法のコンパクト化を実現しつつ、熱交換器５の伝熱面積の伝熱面積を大きくするために、ケーシング２を側面視（すなわち、ケーシング２を長手方向から見た際）において、側方、斜め上方又は斜め下方に向かって突出する突出部を有する形状にしてもよい。例えば、熱交換器５の一部が突出した形状となるように多段曲げ加工を施してもよい。より具体的には、図２２〜図２４に示されるように、熱交換器５を長手方向（すなわち、フィン５５の配列方向）から見た際に、側方、斜め上方又は斜め下方に向かって突出する突出部が形成されるように多段曲げ加工が施されている。ここで、図２２は、本変形例３にかかる空気調和装置１の概略側面断面図であって、斜め上方に向かって突出する突出部５ａが形成された熱交換器５を示している。図２３は、本変形例３にかかる空気調和装置１の概略側面断面図であって、斜め下方に向かって突出する突出部５ｂが形成された熱交換器５を示している。図２４は、本変形例３にかかる空気調和装置１の概略側面断面図であって、下部に斜め下方に向かって突出する突出部５ｂが形成され、さらに、上部に斜め上方に向かって突出する突出部５ａが形成された熱交換器５を示している。
【００６５】
［第２実施形態］
（１）天井設置型の空気調和装置の基本構成
図２５に本発明の第２実施形態にかかる天井設置型の空気調和装置１０１の外観斜視図（天井は省略）を示す。空気調和装置１０１は、天井埋込型の形態及び天井吊下型の形態の両方に対応することが可能なものであり、主として、内部に各種構成機器を収納するケーシング１０２を備えている。
【００６６】
ケーシング１０２は、図２５〜図２７に示されるように、主として、下面が開口した略矩形箱形状のケーシング本体１０２ａと、ケーシング本体１０２ａの下面の開口を覆うようにケーシング本体１０２ａの下部に装着されたドレンパン１０２ｂとを有している。ここで、図２６は、空気調和装置１０１の概略側面断面図であって、図２５又は図２７のＡ−Ａ断面図である。図２７は、空気調和装置１０１の概略平面断面図であって、天板１２１を取り除いた状態を示す図である。尚、Ｂ−Ｂ断面については、ここでは図示しないが、図２６の側板１２２、１２４をそれぞれ側板１２３、１２５に読み替えたものが対応する。
【００６７】
ケーシング本体１０２ａは、ケーシング２の上面及び側面を構成しており、その平面視において、略正方形状の天板１２１と、天板１２１の周縁部から下方に延びる側板１２２、１２３、１２４、１２５とを有している。側板１２２、１２４は、互いに対向する一対の対辺を構成している。側板２３、２５は、互いに対向する一対の対辺を構成している。
側板１２２には、側面吹出開口１２２ａを、側板１２２の一部を切り取ることによって形成する際の切取線として機能する側面吹出開口用切取線１２２ｂが形成されている。また、側板１２３には、側板１２２と同様に、側面吹出開口１２３ａを、側板１２３の一部を切り取ることによって形成する際の切取線として機能する側面吹出開口用切取線１２３ｂが形成されている。また、側板１２４には、側板１２２、１２３と同様に、側面吹出開口１２４ａを、側板１２４の一部を切り取ることによって形成する際の切取線として機能する側面吹出開口用切取線１２４ｂが形成されている。さらに、側板１２５には、側板１２２、１２３、１２４と同様に、側面吹出開口１２５ａを、側板１２５の一部を切り取ることによって形成する際の切取線として機能する側面吹出開口用切取線１２５ｂが形成されている。各側面吹出開口１２２ａ、１２３ａ、１２４ａ、１２５ａは、各側板１２２、１２３、１２４、１２５の上下方向の略中央の位置において、各側板１２２、１２３、１２４、１２５の長手方向に沿って水平に延びる細長い略矩形形状の開口である。そして、各側面吹出開口用切取線１２２ｂ、１２３ｂ、１２４ｂ、１２５ｂは、各側面吹出開口１２２ａ、１２３ａ、１２４ａ、１２５ａの輪郭を型取るように、各側板１２２、１２３、１２４、１２５に形成されている。
【００６８】
ドレンパン１０２ｂは、ケーシング１０２の下面を構成しており、その平面視において、天板１２１と同様、長辺と短辺とが交互に連続するように形成された略矩形形状の板状部材である。
ドレンパン１０２ｂには、ケーシング１０２の平面視略中央に吸入開口１２６ａが形成されている。
【００６９】
また、ドレンパン１０２ｂには、ケーシング１０２の平面視においてドレンパン１０２ｂの周縁部に沿って４つの下面吹出開口１２６ｂが形成されている。各下面吹出開口１２６ｂは、ドレンパン１０２ｂの周縁部に沿って水平に延びる細長い略矩形形状の開口である。
ケーシング１０２内には、吸入開口１２６ａに対向するようにかつ回転軸線Ｏ−Ｏが上下方向に延びるように、送風ファン１０３が配置されている。より具体的には、送風ファン１０３は、ターボファンからなり、ケーシング１０２の天板１２１の吸入開口１２６ａに対向する位置に設けられたファンモータ１３１と、ファンモータ１３１に連結されて回転駆動される羽根車１３２とを有している。羽根車１３２は、ファンモータ１３１に連結される円板状のエンドプレート１３３と、エンドプレート１３３の下面の外周部に設けられた複数のブレード１３４と、ブレード１３４の下側に設けられた中央に開口を有する円板状のエンドリング１３５とを有している。また、吸入開口１２６ａには、エンドプレート３３の吸入開口１２６ａ側の先端付近から下方に向かって末広がりの形状を有するベルマウス１０４が配置されている。
【００７０】
また、ケーシング１０２内には、各側板１２２、１２３、１２４、１２５の長手方向に沿って水平に延びる４つの熱交換器１０５が、送風ファン１０３の外周部を囲むように配置されている。より具体的には、各熱交換器１０５は、第１実施形態の熱交換器５と同様、図４に示されるように、積層型熱交換器からなり、上下方向に延びる伝熱管５１とフィン５２とが交互に積層し、かつ、伝熱管５１の上端と下端とがそれぞれ上部ヘッダー管５３と下部ヘッダー管５４とによって接続されることにより構成されている。伝熱管５１は偏平管であり、また、フィン５２はアルミ製のコルゲートフィンである。そして、各熱交換器１０５は、ケーシング１０２を側面視（すなわち、ケーシング１０２を長手方向から見た際）において傾斜して配置されている。より具体的には、各熱交換器１０５は、送風ファン１０３に対して上部が下部よりも遠い側に傾斜して配置されている。また、ドレンパン１０２ｂの各熱交換器１０５の下部に対向する位置には、ドレン受け部１２６ｃが形成されている。
【００７１】
そして、この空気調和装置１０１のケーシング１０２内には、吸入開口１２６ａから、送風ファン１０３及び熱交換器１０５を通過して下面吹出開口１２６ｂに至る空気流路Ｓが形成されている。ここで、空気流路Ｓのうち熱交換器１０５よりも上流側の部分を空気流路Ｓ１と熱交換器１０５よりも下流側の部分を空気流路Ｓ２とすると、側板１２２、１２３、１２４、１２５に形成された側面吹出開口用切取線１２２ｂ、１２３ｂ、１２４ｂ、１２５ｂは側板２２、２３、２４、２５のうち熱交換器１０５の下側の空気流路Ｓ２に面する部分に形成されている。このため、側板１２２、１２３、１２４、１２５を側面吹出開口用切取線１２２ｂ、１２３ｂ、１２４ｂ、１２５ｂに沿って切り取ることによって形成される側面吹出開口１２２ａ、１２３ａ、１２４ａ、１２５ａは、下面吹出開口１２６ｂと同様に、熱交換器１０５を通過した後の空気を吹き出すことができる。
【００７２】
（２）天井埋込型の空気調和装置の形態にする場合
上述の天井設置型の空気調和装置１０１を４方向に吹き出すタイプの天井埋込型の空気調和装置の形態にする場合には、図２８及び図２９に示されるように、天井埋込用化粧パネル１１１をケーシング１０２の下面を覆うように装着する。ここで、図２８は、天井設置型の空気調和装置１０１の外観斜視図であって、４方向に吹き出す天井埋込型の形態にした状態を示す図である。図２９は、天井設置型の空気調和装置１０１の概略側面断面図であって、図２８のＡ−Ａ断面図である。尚、Ｂ−Ｂ断面については、ここでは図示しないが、図２８の側板１２２、１２４をそれぞれ側板１２３、１２５に読み替えたものが対応する。
【００７３】
天井埋込用化粧パネル１１１は、その平面視において、ケーシング１０２（すなわち、天板１２１やドレンパン１０２ｂ）よりも大きな略矩形形状の板状部材であり、ケーシング１０２の吸入開口１２６ａに連通する吸入口１１１ａと、ケーシング１０２の各下面吹出開口１２６ｂに連通する４つの下面吹出口１１１ｂとが形成されている。下面吹出口１１１ｂは、ケーシング１０２の平面視において天井埋込用化粧パネル１１１の周縁部に沿って形成されている。各下面吹出口１１１ｂは、ドレンパン１０２ｂの周縁部に沿って水平に延びる細長い略矩形形状の開口である。また、吸入口１１１ａには、フィルタ１１１ｃ及び吸入グリル１１１ｄが配置されている。
【００７４】
そして、このような天井埋込用化粧パネル１１１をケーシング１０２の下面（すなわち、ドレンパン１０２ｂ）を覆うように装着することによって、４方向に吹き出すタイプの天井埋込型の空気調和装置が構成される。尚、この形態は、側面吹出開口１２２ａ、１２３ａ、１２４ａ、１２５ａを使用しない形態であるため、側板１２２、１２３、１２４、１２５を側面吹出開口用切取線１２２ｂ、１２３ｂ、１２４ｂ、１２５ｂに沿って切り取ることは行わない（図２５参照）。
【００７５】
このように構成された天井埋込型の形態を有する空気調和装置１０１では、冷却媒体又は加熱媒体を熱交換器１０５に流通させるとともに送風ファン１０３を回転駆動することによって、空調室内の空気を本体下面から（すなわち、天井埋込用化粧パネル１１１の吸入口１１１ａ及び吸入開口１２６ａを通じて）、ケーシング１０２内に吸入して、送風ファン１０３の外周側に吹き出し、熱交換器１０５を通過させて加熱又は冷却した後に、本体下面から（すなわち、下面吹出開口１２６ｂ及び下面吹出口１１１ｂを通じて）、空調室内に４方向に吹き出すことができる。
【００７６】
（３）天井吊下型の空気調和装置の形態にする場合
上述の天井設置型の空気調和装置１０１を４方向に吹き出すタイプの天井吊下型の空気調和装置の形態にする場合には、図３０及び図３１に示されるように、天井吊下用化粧パネル１１５をケーシング１０２の下面及び側面を覆うように装着する。ここで、図３０は、天井設置型の空気調和装置１０１の外観斜視図であって、４方向に吹き出す天井吊下型の形態にした状態を示す図である。図３１は、天井設置型の空気調和装置１０１の概略側面断面図であって、図３０のＡ−Ａ断面図である。尚、Ｂ−Ｂ断面については、ここでは図示しないが、図３０の側板１２２、１２４をそれぞれ側板１２３、１２５に読み替えたものが対応する。
【００７７】
天井吊下用化粧パネル１１５は、上面が開口した略矩形箱形状の部材であり、ケーシング１０２が上面の開口から嵌め込むことができるようになっている。天井吊下用化粧パネル１１５は、その平面視においてケーシング１０２（すなわち、天板１２１やドレンパン１０２ｂ）よりも大きな略矩形形状の下面部１６１と、下面部１６１の周縁部から上方に延びる側面部１６２、１６３、１６４、１６５とを有している。側面部１６２、１６３、１６４、１６５は、それぞれ、ケーシング１０２の側板１２２、１２３、１２４、１２５に沿って配置されている。下面部１６１には、ケーシング１０２の吸入開口１２６ａに連通する吸入口１６１ａが形成されている。また、吸入口１６１ａには、フィルタ１６１ｃ及び吸入グリル１６１ｄが配置されている。尚、下面部１６１には、天井埋込用化粧パネル１１１とは異なり、ケーシング１０２の下面吹出開口１２６ｂに連通する下面吹出口は形成されていない。側面部１６２には、側面吹出開口用切取線１２２ｂに対向するように（すなわち、側面吹出開口１２２ａに連通するように）側面吹出口１６２ａが形成されている。また、側面部１６３には、側面吹出開口用切取線１２３ｂに対向するように（すなわち、側面吹出開口１２３ａに連通するように）側面吹出口１６３ａが形成されている。また、側面部１６４には、側面吹出開口用切取線１２４ｂに対向するように（すなわち、側面吹出開口１２４ａに連通するように）側面吹出口１６４ａが形成されている。さらに、側面部１６５には、側面吹出開口用切取線１２５ｂに対向するように（すなわち、側面吹出開口１２５ａに連通するように）側面吹出口１６５ａが形成されている。各側面吹出口１６２ａ、１６３ａ、１６４ａ、１６５ａは、天井吊下用化粧パネル１１５の長手方向に沿って水平に延びる細長い略矩形形状の開口である。
【００７８】
そして、このような天井吊下用化粧パネル１１５をケーシング１０２の下面（すなわち、ドレンパン１０２ｂ）及び側面（すなわち、側板１２２、１２３、１２４、１２５）を覆うように装着することによって、４方向に吹き出すタイプの天井吊下型の空気調和装置が構成される。
このように構成された天井吊下型の形態を有する空気調和装置１０１では、冷却媒体又は加熱媒体を熱交換器１０５に流通させるとともに送風ファン１０３を回転駆動することによって、空調室内の空気を本体下面から（すなわち、天井吊下用化粧パネル１１５の吸入口１６１ａ及び吸入開口１２６ａを通じて）、ケーシング１０２内に吸入して、送風ファン１０３の外周側に吹き出し、熱交換器１０５を通過させて加熱又は冷却した後に、本体側面から（すなわち、側面吹出開口１２２ａ、１２３ａ、１２４ａ、１２５ａ及び側面吹出口１６２ａ、１６３ａ、１６４ａ、１６５ａを通じて）、空調室内に４方向に吹き出すことができる。
【００７９】
このような本実施形態の天井設置型の空気調和装置１０１においても、上述の第１実施形態と同様、ケーシング１０２に第１化粧パネルとしての天井埋込用化粧パネル１１１又は第２化粧パネルとしての天井吊下用化粧パネル１１５のいずれかを装着することにより、空気を本体下面（具体的には、吸入口１１１ａ）から吸入して本体下面（具体的には、下面吹出口１１１ｂ）から吹き出す天井埋込型の形態、又は、空気を本体下面（具体的には、吸入口１６１ａ）から吸入して本体側面（具体的には、側面吹出口１６２ａ、１６３ａ、１６４ａ、１６５ａ）から吹き出す天井吊下型の形態の両方に対応することが可能である。
【００８０】
また、本実施形態の天井設置型の空気調和装置１０１では、ケーシング２内において、回転軸線Ｏ−Ｏが上下方向に延びるターボファンからなる送風ファン１０３が配置され、かつ、４つの熱交換器１０５がケーシング１０２の平面視において送風ファン１０３の外周部を囲むように配置されているため、ケーシング１０２の高さ方向寸法のコンパクト化を実現することができる。これにより、上述のような天井埋込型の形態及び天井吊下型の形態の両方に対応するにあたり、ケーシング１０２及びケーシング１０２内に収容される部品の共通化を図ることができるようになっている。
【００８１】
（４）変形例１
上述の実施形態においては、熱交換器１０５として、上下方向に延びる伝熱管５１とフィン５２とが交互に積層し、かつ、伝熱管５１の上端と下端とがそれぞれ上部ヘッダー管５３と下部ヘッダー管５４とによって接続されることにより構成された積層型熱交換器を採用しているが、第１実施形態の変形例１と同様、図１７に示されるように、水平方向に延びる伝熱管５１とフィンとが交互に積層し、かつ、伝熱管５１の一側端と他側端とがそれぞれ第１側部ヘッダー管５３と第２側部ヘッダー管５４とによって接続されることにより構成された積層型熱交換器を採用してもよい。
【００８２】
（２）変形例２
上述の実施形態においては、熱交換器１０５として積層型熱交換器を採用したが、第１実施形態の変形例２にかかる熱交換器５と同様に、クロスフィン型熱交換器を採用してもよい（図２１参照）。
クロスフィン型熱交換器からなる熱交換器１０５は、図３２に示されるように、上述の実施形態と同様、ケーシング１０２の平面視において送風ファン１０３の外周部を囲むように配置されている。ここで、図３２は、本変形例にかかる空気調和装置１０１の概略平面断面図であって、天板１２１を取り除いた状態を示す図である。
【００８３】
熱交換器１０５は、第１実施形態の変形例２にかかる熱交換器５と同様に、多段曲げ加工が施されており、ケーシング１０２の平面視において、波形形状に成形されている。すなわち、熱交換器１０５には、ケーシング２の平面視において、送風ファン１０３の回転中心Ｏを通りかつ各熱交換器１０５が対応する側板１２２、１２３、１２４、１２５のいずれかと平行な鉛直面に近づく部分１０５ａ（すなわち、送風ファン１０３の外周部側に向かって突出する部分）と、送風ファン１０３の回転中心Ｏを通りかつ各熱交換器１０５が対応する側板１２２、１２３、１２４、１２５のいずれかと平行な鉛直面から遠ざかる部分１０５ｂとが交互に形成されている。尚、本実施形態において、熱交換器１０５が送風ファン１０３の外周部に最も接近する位置には、送風ファン１０３の回転中心Ｏを通りかつ各熱交換器１０５が対応する側板１２２、１２３、１２４、１２５のいずれかと平行な鉛直面から遠ざかる部分１０５ｂが配置されるように、多段曲げ加工が施されている。
【００８４】
（３）変形例３
また、上述の変形例２のように熱交換器１０５としてクロスフィン型熱交換器を採用する場合において、クロスフィン型熱交換器からなる熱交換器１０５を、第２実施形態の積層型熱交換器からなる熱交換器１０５（図２６参照）と同様、ケーシング１０２を側面視（すなわち、ケーシング１０２を長手方向から見た際）において、送風ファン１０３に対して上部が下部よりも遠い側に傾斜するように配置してもよい。この場合においても、ケーシング１０２の高さ方向寸法のコンパクト化を実現しつつ、熱交換器１０５の伝熱面積を大きくすることができ、また、送風ファン１０３に対して、上部が下部よりも遠い側に傾斜して配置されることで、吹出口に干渉することなく熱交換器１０５を配置することができる。
【００８５】
また、ケーシング１０２の高さ方向寸法のコンパクト化を実現しつつ、熱交換器１０５の伝熱面積の伝熱面積を大きくするために、ケーシング１０２を側面視（すなわち、ケーシング１０２を長手方向から見た際）において、側方、斜め上方又は斜め下方に向かって突出する突出部を有する形状にしてもよい。例えば、熱交換器５の一部が突出した形状となるように多段曲げ加工を施してもよい。より具体的には、図３３〜図３５に示されるように、熱交換器１０５を長手方向（すなわち、フィン５５の配列方向）から見た際に、側方、斜め上方又は斜め下方に向かって突出する屈曲部が１以上形成されるように多段曲げ加工が施されている。ここで、図３３は、本変形例３にかかる空気調和装置１０１の概略側面断面図であって、斜め上方に向かって突出する突出部１０５ａが形成された熱交換器１０５を示している。図３４は、本変形例３にかかる空気調和装置１０１の概略側面断面図であって、斜め下方に向かって突出する突出部１０５ｂが形成された熱交換器１０５を示している。図３５は、本変形例３にかかる空気調和装置１０１の概略側面断面図であって、下部に斜め下方に向かって突出する突出部１０５ｂが形成され、さらに、上部に斜め上方に向かって突出する突出部１０５ａが形成された熱交換器１０５を示している。
【００８６】
［他の実施形態］
以上、本発明の実施形態について図面に基づいて説明したが、具体的な構成は、これらの実施形態に限られるものではなく、発明の要旨を逸脱しない範囲で変更可能である。
【産業上の利用可能性】
【００８７】
本発明を利用すれば、天井埋込型の形態及び天井吊下型の形態の両方に対応することが可能な天井設置型の空気調和装置を提供することができる。
【図面の簡単な説明】
【００８８】
【図１】本発明の第１実施形態にかかる天井設置型の空気調和装置の外観斜視図である。
【図２】本発明の第１実施形態にかかる空気調和装置の概略側面断面図であって、図１及び図３のＡ−Ａ断面図である。
【図３】本発明の第１実施形態にかかる空気調和装置の概略平面断面図であって、天板を取り除いた状態を示す図である。
【図４】上下方向に延びる伝熱管を有する積層型熱交換器を示す図である。
【図５】本発明の第１実施形態にかかる空気調和装置の外観斜視図であって、２方向に吹き出す天井埋込型の形態にした状態を示す図である。
【図６】本発明の第１実施形態にかかる空気調和装置の概略側面断面図であって、図５のＡ−Ａ断面図である。
【図７】本発明の第１実施形態にかかる天井設置型の空気調和装置の外観斜視図であって、全周に吹き出す天井埋込型の形態にした状態を示す図である。
【図８】本発明の第１実施形態にかかる空気調和装置の概略側面断面図であって、図７のＢ−Ｂ断面図である。
【図９】本発明の第１実施形態にかかる天井設置型の空気調和装置の外観斜視図であって、２方向に吹き出す天井埋込型の形態のものを連結した状態を示す図である。
【図１０】図９のＣ部分の拡大図である。
【図１１】本発明の第１実施形態にかかる空気調和装置の外観斜視図であって、２方向に吹き出す天井吊下型の形態にした状態を示す図である。
【図１２】本発明の第１実施形態にかかる空気調和装置の概略側面断面図であって、図１１のＡ−Ａ断面図である。
【図１３】本発明の第１実施形態にかかる天井設置型の空気調和装置の外観斜視図であって、４方向に吹き出す天井吊下型の形態にした状態を示す図である。
【図１４】本発明の第１実施形態にかかる空気調和装置の概略側面断面図であって、図１３のＢ−Ｂ断面図である。
【図１５】本発明の第１実施形態にかかる天井設置型の空気調和装置の外観斜視図であって、２方向に吹き出す天井吊下型の形態のものを連結した状態を示す図である。
【図１６】図１５のＣ部分の拡大図である。
【図１７】水平方向に延びる伝熱管を有する積層型熱交換器を示す図である。
【図１８】本発明の第１実施形態の変形例２にかかる天井設置型の空気調和装置の外観斜視図である。
【図１９】本発明の第１実施形態の変形例２にかかる空気調和装置の概略側面断面図であって、図１８又は図２０のＡ−Ａ断面図である。
【図２０】本発明の第１実施形態の変形例２にかかる空気調和装置の概略平面断面図であって、天板を取り除いた状態を示す図である。
【図２１】クロスフィン型熱交換器を示す図である。
【図２２】本発明の第１実施形態の変形例３にかかる空気調和装置の概略側面断面図である。
【図２３】本発明の第１実施形態の変形例３にかかる空気調和装置の概略側面断面図である。
【図２４】本発明の第１実施形態の変形例３にかかる空気調和装置の概略側面断面図である。
【図２５】本発明の第２実施形態にかかる天井設置型の空気調和装置の外観斜視図である。
【図２６】本発明の第２実施形態にかかる空気調和装置の概略側面断面図であって、図２５及び図２７のＡ−Ａ断面図である。
【図２７】本発明の第２実施形態にかかる空気調和装置の概略平面断面図であって、天板を取り除いた状態を示す図である。
【図２８】本発明の第２実施形態にかかる空気調和装置の外観斜視図であって、４方向に吹き出す天井埋込型の形態にした状態を示す図である。
【図２９】本発明の第２実施形態にかかる空気調和装置の概略側面断面図であって、図２８のＡ−Ａ断面図である。
【図３０】本発明の第２実施形態にかかる空気調和装置の外観斜視図であって、４方向に吹き出す天井吊下型の形態にした状態を示す図である。
【図３１】本発明の第２実施形態にかかる空気調和装置の概略側面断面図であって、図３０のＡ−Ａ断面図である。
【図３２】本発明の第２実施形態の変形例２にかかる空気調和装置の概略平面断面図であって、天板を取り除いた状態を示す図である。
【図３３】本発明の第２実施形態の変形例３にかかる空気調和装置の概略側面断面図である。
【図３４】本発明の第２実施形態の変形例３にかかる空気調和装置の概略側面断面図である。
【図３５】本発明の第２実施形態の変形例３にかかる空気調和装置の概略側面断面図である。
【符号の説明】
【００８９】
１、１０１  空気調和装置
２、１０２  ケーシング
３、１０３  送風ファン
５、１０５  熱交換器
１１、１３、１１１  天井埋込用化粧パネル（第１化粧パネル）
１１ａ、１３ａ、１１１ａ  吸入口
１１ｂ、１３ｂ、１１１ｂ  下面吹出口（第１吹出口）
１２、１６  補助吹出チャンバ
１４、１８  パネル連結ピン（パネル案内部材）
１５、１７、１１５  天井吊下用化粧パネル（第２化粧パネル）
２２ａ、２４ａ、１２２ａ〜１２５ａ  側面吹出開口（第２吹出開口）
２３ａ、２５ａ  補助連通開口（連通開口）
２６ａ、１２６ａ  吸入開口
２６ｂ、１２６ｂ  下面吹出開口（第１吹出開口）
６１ａ、７１ａ、１６１ａ  吸入口
６２ａ、６４ａ、７２ａ、７４ａ、１６２ａ〜１６５ａ  側面吹出口（第２吹出口）
Ｓ  空気流路
Ｔ  空間
【図１】
2007147143.tif 000003
【図２】
2007147143.tif 000004
【図３】
2007147143.tif 000005
【図４】
2007147143.tif 000006
【図５】
2007147143.tif 000007
【図６】
2007147143.tif 000008
【図７】
2007147143.tif 000009
【図８】
2007147143.tif 000010
【図９】
2007147143.tif 000011
【図１０】
2007147143.tif 000012
【図１１】
2007147143.tif 000013
【図１２】
2007147143.tif 000014
【図１３】
2007147143.tif 000015
【図１４】
2007147143.tif 000016
【図１５】
2007147143.tif 000017
【図１６】
2007147143.tif 000018
【図１７】
2007147143.tif 000019
【図１８】
2007147143.tif 000020
【図１９】
2007147143.tif 000021
【図２０】
2007147143.tif 000022
【図２１】
2007147143.tif 000023
【図２２】
2007147143.tif 000024
【図２３】
2007147143.tif 000025
【図２４】
2007147143.tif 000026
【図２５】
2007147143.tif 000027
【図２６】
2007147143.tif 000028
【図２７】
2007147143.tif 000029
【図２８】
2007147143.tif 000030
【図２９】
2007147143.tif 000031
【図３０】
2007147143.tif 000032
【図３１】
2007147143.tif 000033
【図３２】
2007147143.tif 000034
【図３３】
2007147143.tif 000035
【図３４】
2007147143.tif 000036
【図３５】
2007147143.tif 000037